(57)【要約】      （修正有）【課題】給紙速度を維持しつつ転写不良を低減すること。【解決手段】収容容器に収容された媒体を搬送する搬送部材と、収容容器に収容された媒体に対して、側方から気体を吹き付けて積載された媒体どうしを分離させる吹付装置と、媒体に記録される画像に基づいて、吹付装置からの気体が吹き付けられる媒体の位置に記録される画像が予め設定された記録不良を起こし易い画像であるか否かを判別する判別手段と、を備え、判別手段により記録不良を起こし易いと判別された場合に、記録不良を起こし難いと判別された場合よりも、気体の吹き付けが低減された媒体を搬送部材により搬送することを特徴とする媒体搬送装置。【選択図】図８
2013166600.tif 000002
【特許請求の範囲】
【請求項１】
媒体が収容される収容容器と、
前記収容容器に収容された媒体を搬送する搬送部材と、
前記収容容器に収容された媒体に対して、側方から気体を吹き付けて積載された媒体どうしを分離させる吹付装置と、
前記媒体に記録される画像に基づいて、前記吹付装置からの気体が吹き付けられる媒体の位置に記録される画像が予め設定された記録不良を起こし易い画像であるか否かを判別する判別手段と、
を備え、
前記判別手段により記録不良を起こし易いと判別された場合に、記録不良を起こし難いと判別された場合よりも、気体の吹き付けが低減された媒体を前記搬送部材により搬送する
ことを特徴とする媒体搬送装置。
【請求項２】
媒体が収容される第１の収容容器と、前記第１の収容容器と同一の種類の媒体が収容され且つ前記第１の収容容器における媒体への気体の吹き付けに比べて気体の吹き付けが低減される第２の収容容器と、を有する前記収容容器と、
前記判別手段により記録不良を起こし難いと判別された場合に、前記第１の収容容器から媒体を搬送させると共に、前記判別手段により記録不良を起こし易いと判別された場合に、前記第２の収容容器から媒体を搬送させるように、媒体が搬送される収容容器の切替を行う切替手段と、
を備えたことを特徴とする請求項１に記載の媒体搬送装置。
【請求項３】
前記判別手段により記録不良を起こし難いと判別された場合に、前記搬送部材が媒体を搬送する期間中に気体を吹き付ける通常動作で前記吹付装置を制御すると共に、前記判別手段により記録不良を起こし易いと判別された場合に、前記通常動作よりも気体の吹き付けが低減された低減動作で前記吹付装置を制御する制御手段と、
を備えたことを特徴とする請求項１に記載の媒体搬送装置。
【請求項４】
前記媒体に記録される画像に基づいて、前記吹付装置の吹付口に対応する予め設定された媒体における領域に記録される画像の密度が、予め設定された記録不良を起こし易い密度であるか否かを判別する前記判別手段、
を備えたことを特徴とする請求項１ないし請求項３のいずれかに記載の媒体搬送装置。
【請求項５】
画像が記録される媒体の紙種が、予め設定された記録不良を起こし易い紙種であるか否かを判別する前記判別手段、
を備え、
前記判別手段により記録不良を起こし易いと判別された場合に、記録不良を起こし難いと判別された場合よりも、気体の吹き付けが低減された媒体を前記搬送部材により搬送することを特徴とする請求項１ないし請求項４のいずれかに記載の媒体搬送装置。
【請求項６】
請求項１ないし５のいずれかに記載の媒体搬送装置と、
被帯電体としての像保持体と、
前記像保持体表面を帯電させる帯電装置と、
帯電された前記像保持体表面に潜像を形成する潜像形成装置と、
前記像保持体表面の潜像を可視像に現像する現像器と、
前記像保持体表面の可視像を媒体に転写する転写装置と、
を備えたことを特徴とする画像形成装置。
【発明の詳細な説明】
【技術分野】
【０００１】
本発明は、媒体搬送装置及び画像形成装置に関する。
【背景技術】
【０００２】
積載部に積載された媒体を供給する媒体供給装置に関し、以下の特許文献１に記載の技術が知られている。
【０００３】
特許文献１としての特開２０１１−６３３４５号公報には、シート（Ｓ）を積載するカセット（１００）と、カセット（１００）を収容する筐体内の湿度を検出する湿度センサ（１０８）と、積載されたシート（Ｓ）の束の上部側面に直交方向から補助捌きエアーを吹き付けるエアー吹付け手段と、筐体内の高湿エアーを取り込み除湿する除湿装置（２００）と、を備えたシート給送装置（１００１）が記載されている。
特許文献１のシート給送装置（１００１）の構成では、湿度センサ（１０８）により「高湿」と検知され且つシート（Ｓ）の種類が「コート紙または超厚紙」の場合、カセット（１００）の紙送り方向の下流部且つ紙幅方向の片側に配置されたエアー吹付け手段の送風ファン（４，５）を回転させ且つヒータ（６）を「強」に制御し、シート（Ｓ）の給紙速度を遅くすると共に、除湿装置（２００）のファン（２０７，２０８）を回転させて、シートを乾燥し易くして、重送を防止している。
【先行技術文献】
【特許文献】
【０００４】
【特許文献１】特開２０１１−６３３４５号公報（「００２９」〜「００３３」、「００４２」〜「００４４」、「００４９」〜「００５３」、図１〜図３、図５〜図９）
【発明の開示】
【発明が解決しようとする課題】
【０００５】
本発明は、給紙速度を維持しつつ転写不良を低減することを技術的課題とする。
【課題を解決するための手段】
【０００６】
前記技術的課題を解決するために、請求項１に記載の発明の媒体搬送装置は、
媒体が収容される収容容器と、
前記収容容器に収容された媒体を搬送する搬送部材と、
前記収容容器に収容された媒体に対して、側方から気体を吹き付けて積載された媒体どうしを分離させる吹付装置と、
前記媒体に記録される画像に基づいて、前記吹付装置からの気体が吹き付けられる媒体の位置に記録される画像が予め設定された記録不良を起こし易い画像であるか否かを判別する判別手段と、
を備え、
前記判別手段により記録不良を起こし易いと判別された場合に、記録不良を起こし難いと判別された場合よりも、気体の吹き付けが低減された媒体を前記搬送部材により搬送する
ことを特徴とする。
【０００７】
請求項２に記載の発明は、請求項１に記載の媒体搬送装置において、
媒体が収容される第１の収容容器と、前記第１の収容容器と同一の種類の媒体が収容され且つ前記第１の収容容器における媒体への気体の吹き付けに比べて気体の吹き付けが低減される第２の収容容器と、を有する前記収容容器と、
前記判別手段により記録不良を起こし難いと判別された場合に、前記第１の収容容器から媒体を搬送させると共に、前記判別手段により記録不良を起こし易いと判別された場合に、前記第２の収容容器から媒体を搬送させるように、媒体が搬送される収容容器の切替を行う切替手段と、
を備えたことを特徴とする。
【０００８】
請求項３に記載の発明は、請求項１に記載の媒体搬送装置において、
前記判別手段により記録不良を起こし難いと判別された場合に、前記搬送部材が媒体を搬送する期間中に気体を吹き付ける通常動作で前記吹付装置を制御すると共に、前記判別手段により記録不良を起こし易いと判別された場合に、前記通常動作よりも気体の吹き付けが低減された低減動作で前記吹付装置を制御する制御手段と、
を備えたことを特徴とする。
【０００９】
請求項４に記載の発明は、請求項１ないし請求項３のいずれかに記載の媒体搬送装置において、
前記媒体に記録される画像に基づいて、前記吹付装置の吹付口に対応する予め設定された媒体における領域に記録される画像の密度が、予め設定された記録不良を起こし易い密度であるか否かを判別する前記判別手段、
を備えたことを特徴とする。
【００１０】
請求項５に記載の発明は、請求項１ないし請求項４のいずれかに記載の媒体搬送装置において、
画像が記録される媒体の紙種が、予め設定された記録不良を起こし易い紙種であるか否かを判別する前記判別手段、
を備え、
前記判別手段により記録不良を起こし易いと判別された場合に、記録不良を起こし難いと判別された場合よりも、気体の吹き付けが低減された媒体を前記搬送部材により搬送することを特徴とする。
【００１１】
前記技術的課題を解決するために、請求項６に記載の発明の画像形成装置は、
請求項１ないし５のいずれかに記載の媒体搬送装置と、
被帯電体としての像保持体と、
前記像保持体表面を帯電させる帯電装置と、
帯電された前記像保持体表面に潜像を形成する潜像形成装置と、
前記像保持体表面の潜像を可視像に現像する現像器と、
前記像保持体表面の可視像を媒体に転写する転写装置と、
を備えたことを特徴とする。
【発明の効果】
【００１２】
請求項１，６に記載の発明によれば、記録不良を起こし易いと判別された場合に、記録不良を起こし難いと判別された場合よりも、収容容器に収容された媒体に対する気体の吹き付けが低減されない構成に比べて、給紙速度を維持しつつ記録不良を低減することができる。
請求項２に記載の発明によれば、記録不良を起こし易いと判別された場合に、気体の吹き付けが低減された第１の収容容器から媒体が搬送されない構成に比べて、記録不良を低減することができる。
請求項３に記載の発明によれば、記録不良を起こし易いと判別された場合に、気体の吹き付けが低減されない構成に比べて、媒体の水分の蒸発ムラを低減でき、記録不良を低減できる。
【００１３】
請求項４に記載の発明によれば、予め設定された記録不良を起こし易い密度に基づいて、記録不良を起こし易いか否かを判別できる。
請求項５に記載の発明によれば、予め設定された記録不良を起こし易い紙種に基づいて、記録不良を起こし易いか否かを低減できる。
【図面の簡単な説明】
【００１４】
【図１】図１は本発明の実施例１の画像形成装置の全体説明図である。
【図２】図２は実施例１の像保持体ユニットおよび現像器を有する可視像形成部材の説明図である。
【図３】図３は実施例１の給紙装置の要部拡大図である。
【図４】図４は実施例１の給紙トレイの平面図である。
【図５】図５は実施例１の画像形成装置の制御部分が備えている各機能をブロック図で示した図である。
【図６】図６は実施例１の媒体の領域の説明図である。
【図７】図７は実施例１の吹付条件の記憶手段が記憶する吹付条件のテーブルであり、図７Ａは紙種テーブル、図７Ｂは用紙サイズテーブル、図７Ｃは画像密度テーブルである。
【図８】図８は実施例１の風量判別処理のフローチャートである。
【図９】図９は本発明の実施例２の画像形成装置の制御部が備えている各機能をブロック図で示した図であり、実施例１の図５に対応する説明図である。
【図１０】図１０は実施例２の画像形成装置における収容容器判別処理のフローチャートであり、実施例１の図８に対応する説明図である。
【発明を実施するための形態】
【００１５】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１６】
図１は本発明の実施例１の画像形成装置の全体説明図である。
図１において、画像形成装置Ｕは、操作部の一例としてのユーザインタフェースＵＩ、画像情報入力装置の一例としてのイメージ入力装置Ｕ１、媒体搬送装置の一例としての給紙装置Ｕ２、画像形成装置本体Ｕ３、および用紙処理装置Ｕ４を有している。
【００１７】
前記ユーザインタフェースＵＩは、コピースタートキー、テンキー、コピー枚数入力キー等の入力釦や表示パネルＵＩ４等を有している。
前記イメージ入力装置Ｕ１は、自動原稿搬送装置Ｕ１ａおよび画像読取部の一例としてのイメージスキャナＵ１ｂ等により構成されている。図１において、イメージ入力装置Ｕ１では、図示しない原稿を読取って画像情報に変換し、画像形成装置本体Ｕ３に入力する。
給紙装置Ｕ２は、複数の収容容器の一例としての給紙トレイＴＲ１〜ＴＲ４や、前記各給紙トレイＴＲ１〜ＴＲ４に収容された媒体の一例としての記録シートＳを取り出して画像形成装置本体Ｕ３に搬送する給紙路ＳＨ１等を有している。
【００１８】
図１において、画像形成装置本体Ｕ３は、前記給紙装置Ｕ２から搬送された記録シートＳに画像記録を行う画像記録部Ｕ３ａ、現像剤供給装置の一例としてのトナーディスペンサー装置Ｕ３ｂ、および搬送路の一例としてのシート搬送路ＳＨ２や、用紙排出路ＳＨ３、用紙反転路ＳＨ４、用紙循環路ＳＨ６等を有している。なお、前記画像記録部Ｕ３ａについては後述する。画像形成装置本体Ｕ３は、制御部の一例としてのコントローラＣを有しており、コントローラＣには、画像情報送信装置の一例として、画像形成装置本体Ｕ３に電気的に接続されたクライアントパソコンＰＣから送信された送受信用の画像情報等が入力される。
【００１９】
また、画像形成装置本体Ｕ３は、前記コントローラＣにより制御される潜像書込装置駆動回路の一例としてのレーザ駆動回路Ｄと、前記コントローラＣにより制御される電源回路Ｅ等とを有している。コントローラＣにより作動を制御されるレーザ駆動回路Ｄは、前記イメージ入力装置Ｕ１から入力されたＹ：イエロー、Ｍ：マゼンタ、Ｃ：シアン、Ｋ：黒の画像情報に応じたレーザ駆動信号を所定のタイミングで、各色の潜像形成装置ＲＯＳｙ，ＲＯＳｍ，ＲＯＳｃ，ＲＯＳｋに出力する。
前記各色の潜像形成装置ＲＯＳｙ，ＲＯＳｍ，ＲＯＳｃ，ＲＯＳｋの下方には、像形成ユニット用引出部材Ｕ３ｃが左右一対の案内部材Ｒ１，Ｒ１により、画像形成装置本体Ｕ３の前方に引き出された引出位置と画像形成装置本体Ｕ３内部に装着された装着位置との間で移動可能に支持されている。
【００２０】
図２は実施例１の像保持体ユニットおよび現像器を有する可視像形成部材の説明図である。
図１、図２において、黒の像保持体ユニットＵｋは、像保持体Ｐｋ、帯電装置の一例としての帯電器ＣＣk、および像保持体用清掃器の一例としてのクリーナＣＬｋを有している。そして、他の色Ｙ，Ｍ，Ｃの像保持体ユニットＵｙ，Ｕｍ，Ｕｃも、像保持体Ｐｙ，Ｐｍ，Ｐｃ、帯電器ＣＣｙ，ＣＣｍ，ＣＣｃ、クリーナＣＬｙ，ＣＬｍ，ＣＬｃを有している。なお、実施例１では、使用頻度の高く表面の磨耗が多いＫ色の像保持体Ｐｋは、他の色の像保持体Ｐｙ，Ｐｍ，Ｐｃに比べて大径に構成され、高速回転対応および長寿命化がされている。
前記各像保持体ユニットＵｙ，Ｕｍ，Ｕｃ，Ｕｋと現像ロールＲ０を有する現像器Ｇｙ，Ｇｍ，Ｇｃ，Ｇｋとにより可視像形成部材Ｕｙ＋Ｇｙ，Ｕｍ＋Ｇｍ，Ｕｃ＋Ｇｃ，Ｕｋ＋Ｇｋが構成されている。前記像形成ユニット用引出部材Ｕ３ｃには、前記像保持体ユニットＵｙ，Ｕｍ，Ｕｃ，Ｕｋおよび現像器Ｇｙ，Ｇｍ，Ｇｃ，Ｇｋが着脱可能に装着される。
【００２１】
図１において、像保持体Ｐｙ，Ｐｍ，Ｐｃ，Ｐｋは、それぞれ帯電器ＣＣｙ，ＣＣｍ，ＣＣｃ，ＣＣｋにより一様に帯電された後、前記潜像形成装置ＲＯＳｙ，ＲＯＳｍ，ＲＯＳｃ，ＲＯＳｋの出力する潜像書込光の一例としてのレーザビームＬｙ，Ｌｍ，Ｌｃ，Ｌｋによりその表面に静電潜像が形成される。前記像保持体Ｐｙ，Ｐｍ，Ｐｃ，Ｐｋ表面の静電潜像は、現像器Ｇｙ，Ｇｍ，Ｇｃ，ＧｋによりＹ：イエロー、Ｍ：マゼンタ、Ｃ：シアン、Ｋ：黒の色のトナー像に現像される。
【００２２】
像保持体Ｐｙ，Ｐｍ，Ｐｃ，Ｐｋ表面上のトナー像は、１次転写器の一例としての１次転写ロールＴ１ｙ，Ｔ１ｍ，Ｔ１ｃ，Ｔ１kにより、１次転写領域Ｑ３ｙ，Ｑ３ｍ，Ｑ３ｃ，Ｑ３ｋで、中間転写体の一例としての中間転写ベルトＢ上に順次重ねて転写され、中間転写ベルトＢ上に多色画像、いわゆる、カラー画像が形成される。中間転写ベルトＢ上に形成されたカラー画像は、２次転写領域Ｑ４に搬送される。
なお、黒画像データのみの場合はＫ：黒の像保持体Ｐｋおよび現像器Ｇｋのみが使用され、黒のトナー像のみが形成される。
１次転写後、像保持体Ｐｙ，Ｐｍ，Ｐｃ，Ｐｋ表面の残留トナーは像保持体用のクリーナＣＬｙ，ＣＬｍ，ＣＬｃ，ＣＬｋによりクリーニングされる。
【００２３】
前記像形成ユニット用引出部材Ｕ３ｃの下方には、中間転写体用引出部材Ｕ３ｄが画像形成装置本体Ｕ３の前方に引き出された引出位置と画像形成装置本体Ｕ３内部に装着された装着位置との間で移動可能に支持されている。前記中間転写体用引出部材Ｕ３ｄにより、中間転写装置の一例としてのベルトモジュールＢＭが、前記像保持体Ｐｙ，Ｐｍ，Ｐｃ，Ｐｋの下面に接触する上昇位置と前記下面から下方に離れた下降位置との間で昇降可能に支持されている。
前記ベルトモジュールＢＭは、前記中間転写ベルトＢと、中間転写体支持部材の一例としてのベルト支持ロールＲｄ，Ｒｔ，Ｒｗ，Ｒｆ，Ｔ２ａと、前記１次転写ロールＴ１ｙ，Ｔ１ｍ，Ｔ１ｃ，Ｔ１kとを有している。ベルト支持ロールＲｄ，Ｒｔ，Ｒｗ，Ｒｆ，Ｔ２ａは、中間転写体駆動部材の一例としてのベルト駆動ロールＲｄ、張力付与部材の一例としてのテンションロールＲｔ、蛇行防止部材の一例としてのウォーキングロールＲｗ、従動部材の一例としての複数のアイドラロールＲｆおよび２次転写対向部材の一例としてのバックアップロールＴ２ａを有する。そして、前記中間転写ベルトＢは前記ベルト支持ロールＲｄ，Ｒｔ，Ｒｗ，Ｒｆ，Ｔ２ａにより矢印Ｙａ方向に回転移動可能に支持されている。
【００２４】
前記バックアップロールＴ２ａの下方には２次転写ユニットＵｔが配置されている。２次転写ユニットＵｔの２次転写部材の一例としての２次転写ロールＴ２ｂは、前記中間転写ベルトＢを挟んでバックアップロールＴ２ａに離隔および接触可能に配置されており、前記２次転写ロールＴ２ｂが中間転写ベルトＢと圧接する領域により、画像記録領域の一例としての２次転写領域Ｑ４が形成されている。また、前記バックアップロールＴ２ａには電圧印加用接触部材の一例としてのコンタクトロールＴ２ｃが当接しており、前記ロールＴ２ａ〜Ｔ２ｃにより２次転写器Ｔ２が構成されている。
前記コンタクトロールＴ２ｃにはコントローラＣにより制御される電源回路から所定のタイミングでトナーの帯電極性と同極性の２次転写電圧が印加される。
【００２５】
前記ベルトモジュールＢＭ下方には、搬送路の一例としてのシート搬送路ＳＨ２が配置されている。前記給紙装置Ｕ２から給紙された記録シートＳは、搬送部材の一例としての搬送ロールＲａにより、給紙路ＳＨ１からシート搬送路ＳＨ２に搬送される。そして、第１の搬送部材の一例であって、搬送時期調節部材の一例としてのレジロールＲｒにより、トナー像が２次転写領域Ｑ４に搬送されるのに時期を合わせて、媒体案内部材ＳＧｒ、転写前媒体案内部材ＳＧ１を通って２次転写領域Ｑ４に搬送される。
なお、媒体案内部材ＳＧｒはレジロールＲｒとともに、画像形成装置本体Ｕ３に固定されている。
前記中間転写ベルトＢ上のトナー像は、前記２次転写領域Ｑ４を通過する際に前記２次転写器Ｔ２により前記記録シートＳに転写される。なお、フルカラー画像の場合は中間転写ベルトＢ表面に重ねて１次転写されたトナー像が一括して記録シートＳに２次転写される。
【００２６】
２次転写後の前記中間転写ベルトＢは、中間転写体清掃器の一例としてのベルトクリーナＣＬＢにより清掃、すなわち、クリーニングされる。なお、前記２次転写ロールＴ２ｂおよびベルトクリーナＣＬＢは、中間転写ベルトＢと離隔および接触可能に支持されている。
前記１次転写ロールＴ１ｙ，Ｔ１ｍ，Ｔ１ｃ，Ｔ１ｋ、中間転写ベルトＢ、２次転写器Ｔ２、ベルトクリーナＣＬＢ等により、像保持体Ｐｙ〜Ｐｋ表面の画像を記録シートＳに転写する転写装置Ｔ１＋Ｂ＋Ｔ２＋ＣＬＢが構成されている。
前記可視像形成部材Ｕｙ＋Ｇｙ〜Ｕｋ＋Ｇｋ、転写装置Ｔ１＋Ｂ＋Ｔ２＋ＣＬＢにより、実施例１の画像記録部Ｕ３ａが構成されている。
【００２７】
トナー像が２次転写された前記記録シートＳは、転写後媒体案内部材ＳＧ２、定着前媒体搬送部材の一例としての用紙搬送ベルトＢＨを通って定着装置Ｆに搬送される。前記定着装置Ｆは、加熱定着部材の一例としての加熱ロールＦｈと、加圧定着部材の一例としての加圧ロールＦｐとを有し、加熱ロールＦｈと加圧ロールＦｐとが圧接する領域により定着領域Ｑ５が形成されている。
前記記録シートＳ上のトナー像は定着領域Ｑ５を通過する際に定着装置Ｆにより加熱定着される。前記定着装置Ｆの下流側には搬送路切替部材ＧＴ１が設けられている。前記搬送路切替部材ＧＴ１はシート搬送路ＳＨ２を搬送されて定着領域Ｑ５で加熱定着された記録シートＳを、用紙排出路ＳＨ３または用紙反転路ＳＨ４側のいずれかに選択的に切り替える。前記用紙排出路ＳＨ３に搬送された用紙Ｓは、用紙処理装置Ｕ４の用紙搬送路ＳＨ５に搬送される。
【００２８】
用紙搬送路ＳＨ５の途中には、カール補正装置Ｕ４ａが配置されており、前記用紙搬送路ＳＨ５には搬送路切替部材の一例としての切替ゲートＧ４が配置されている。前記切替ゲートＧ４は、前記画像形成装置本体Ｕ３の用紙搬送路ＳＨ３から搬送された記録シートＳを、湾曲、いわゆる、カールの方向に応じて、第１カール補正部材ｈ１または第２カール補正部材ｈ２のいずれかの側に搬送する。前記第１カール補正部材ｈ１または第２カール補正部材ｈ２に搬送された記録シートＳは、通過時にカールが補正される。カールが補正された記録シートＳは、排出部材の一例としての排出ロールＲｈから用紙処理装置Ｕ４の排出部の一例としての排出トレイＴＨ１に用紙の画像定着面が上向きの状態、いわゆる、フェイスアップ状態で排出される。
【００２９】
前記搬送路切替部材ＧＴ１により画像形成装置本体Ｕ３の前記用紙反転路ＳＨ４側に搬送された記録シートＳは、弾性薄膜状部材により構成された搬送方向規制部材、いわゆる、マイラーゲートＧＴ２を押しのける形で通過して、画像形成装置本体Ｕ３の前記用紙反転路ＳＨ４に搬送される。
前記画像形成装置本体Ｕ３の用紙反転路ＳＨ４の下流端には、用紙循環路ＳＨ６および用紙処理装置Ｕ４の用紙反転路ＳＨ７が接続されており、その接続部にもマイラーゲートＧＴ３が配置されている。前記切替ゲートＧＴ１を通って用紙搬送路ＳＨ４に搬送された用紙は、前記マイラーゲートＧＴ３を通過して用紙反転路ＳＨ７側に搬送される。両面印刷を行う場合には、用紙反転路ＳＨ４を搬送されてきた記録シートＳは、前記マイラーゲートＧＴ３をそのまま一旦通過して、用紙反転路ＳＨ７に搬送された後、逆方向に搬送、いわゆる、スイッチバックさせられると、マイラーゲートＧＴ３により搬送方向が規制され、スイッチバックした記録シートＳが用紙循環路ＳＨ６側に搬送される。前記用紙循環路ＳＨ６に搬送された記録シートＳは前記給紙路ＳＨ１を通って前記転写領域Ｑ４に再送される。
前記用紙反転路ＳＨ４、用紙循環路ＳＨ６、用紙反転路ＳＨ７などにより、実施例１の反転路の一例としてのシート反転路ＳＨ４＋ＳＨ６＋ＳＨ７が構成されている。
【００３０】
一方、用紙反転路ＳＨ４を搬送される記録シートＳを、記録シートＳの後端がマイラーゲートＧＴ２を通過後、マイラーゲートＧＴ３を通過する前に、スイッチバックすると、マイラーゲートＧＴ２により記録シートＳの搬送方向が規制され、記録シートＳは表裏が反転された状態で用紙搬送路ＳＨ５に搬送される。表裏が反転された記録シートＳは、カール補正装置Ｕ４ａによりカールが補正された後、前記用紙処理装置Ｕ４の用紙排出トレイＴＨ１に、用紙Ｓの画像定着面が下向きの状態、いわゆる、フェイスダウン状態で排出することができる。
前記符号ＳＨ１〜ＳＨ７で示された要素により用紙搬送路ＳＨが構成されている。
また、前記符号ＳＨ，Ｒａ，Ｒｒ，Ｒｈ，ＳＧｒ，ＳＧ１，ＳＧ２，ＢＨ，ＧＴ１〜ＧＴ３，Ｃで示された要素により、用紙搬送装置ＳＵが構成されている。
【００３１】
（給紙装置）
図３は実施例１の給紙装置の要部拡大図である。
図３において、前記給紙装置Ｕ２には、各給紙トレイＴＲ１〜ＴＲ４に対応して、給紙トレイＴＲ１〜ＴＲ４を着脱可能に支持する支持台１が設けられている。前記支持台１には、各給紙トレイＴＲ１〜ＴＲ４を案内する案内部材の一例としてのレールＲＬ１が固定支持されている。
【００３２】
図３において、前記各給紙トレイＴＲ１〜ＴＲ４の右側上方には、媒体送出部材の一例としてのピックアップロールＲｐおよび下流搬送部材の一例としてのフィードロールＲｓ１を回転可能に支持する給紙昇降枠体の一例としての給紙フレームＫｆが配置されている。前記給紙フレームＫｆには、図示しない送出駆動源の一例としての給紙駆動モータの回転力を前記ピックアップロールＲｐおよびフィードロールＲｓ１に伝達するギヤ列Ｇ２〜Ｇ６が配置されている。給紙フレームＫｆの左方には、検出部材の一例として、給紙フレームＫｆの位置を検出するための光センサＳＮ１が支持されている。
なお、このような給紙フレームＫｆの昇降機構は、例えば、特開２０００−２２９７３７号公報や特開２００１−３２３９６６号公報等に記載されており、従来公知であるため、図示や詳細な説明は省略する。
【００３３】
前記給紙フレームＫｆは、図示しない枠体上昇部材の一例としてのバネにより図３の上側の給紙トレイＴＲ１に示すように給紙を実行しない場合の上方に回動した給紙待機位置に保持されている。また、給紙フレームＫｆには、図示しない枠体下降部材の一例としてのフレーム昇降ソレノイドが接続されており、フレーム昇降ソレノイドの通電または非通電、すなわちオンまたはオフの制御により、給紙待機位置と、図３の下側の給紙トレイＴＲ２に示すように給紙を実行する際にピックアップロールＲｐが給紙トレイＴＲ１〜ＴＲ４に積載された記録シートＳのシート束の最上面に予め設定された圧力で接触する給紙実行位置との間を移動する。
【００３４】
これにより、前記給紙トレイＴＲ１〜ＴＲ４に積載された記録シートＳは、前記ピックアップロールＲｐによって、送り出す送出時期に合わせて取り出される。そして、前記記録シートＳは、フィードロールＲｓ１と、媒体減速部材の一例としてのリタードロールＲｓ２との接触領域であるさばき領域を通過する際に、複数の記録シートＳが重なって送り出された場合に、１枚づつ分離される。分離された記録シートＳは、フィードロールＲｓ１により、給紙路ＳＨ１に搬送されて、下流側の画像形成装置本体Ｕ３のシート搬送路ＳＨ２に搬送される。前記フィードロールＲｓ１とリタードロールＲｓ２とにより、実施例１の分離部材の一例としての捌きロールＲｓが構成されている。
【００３５】
（給紙トレイ）
図４は実施例１の給紙トレイの平面図である。
図３、図４において、実施例１の給紙装置Ｕ２に、着脱可能に支持された各給紙トレイＴＲ１〜ＴＲ４は、底壁１１、前端壁１２、後端壁１３、右端壁１４、および、左端壁１６を有し、前記各壁１１〜１６により囲まれた空間により、収容部本体の一例としての収容空間１７が構成されている。
前記前端壁１２の前面には把持部の一例としてのハンドル１８が支持されている。また、前記右端壁１４および左端壁１５の外面には前記レールＲＬ１に接触して案内される被案内部の一例としての被ガイド部材ＲＬ２が支持されている。
【００３６】
図４において、前記底壁１１には、支持体の収容部の一例として、媒体搬送方向である左右方向に延びるエンドプレートの収容溝１１ａが形成されている。また、前記底壁１１の右前部には、揃え部材の支持部の一例として、左右二対のフロントガイドの装着孔１１ｂが前後方向に間隔を空けて形成されている。
前記エンドプレートの収容溝１１ａには、揃え部材の案内部材の一例としてのエンドプレート１９が収容されている。前記エンドプレート１９には、第１の揃え部材の一例として、収容された記録シートＳの搬送方向の後端としての左端に接触して揃えるエンドガイド２１が左右方向に移動可能に支持されている。したがって、記録シートＳの大きさ、いわゆる、サイズに応じて、利用者が手動でエンドガイド２１の位置を左右方向に調節することが可能である。
【００３７】
図４において、前記底壁１１の後側には、後端揃え部材の一例として、媒体幅方向である記録シートＳの後端の縁に接触して、記録シートＳの後端の縁を揃えるリアガイド２２が固定支持されている。
また、フロントガイドの装着孔１１ｂには、第２の揃え部材の一例として、媒体幅方向である記録シートＳの前端部の縁に接触して、記録シートＳの前端部の縁を揃えるフロントガイド２３が、底壁１１に対して着脱可能に支持されている。フロントガイド２３は、利用者が手動で取外し、記録シートＳのサイズに応じて、底壁１１に形成されたフロントガイドの装着孔１１ｂにフロントガイド２３の下面に形成された突起を差し込むことで、記録シートＳのサイズに応じた位置に装着することが可能である。
図４において、後端壁１３の上部には、第１の流入部の一例として、後端壁１３を前後方向に貫通する後側の通過口２４が左右一対に形成されている。
また、右端壁１４の上部には、第２の流入部の一例として、右端壁１４を左右方向に貫通する右側の通過口２６が前後一対に形成されている。
【００３８】
（吹付装置）
図４において、給紙装置Ｕ２内部の各給紙トレイＴＲ１〜ＴＲ４が着脱される空間の後端には、右側の前記後側の通過口２４に対応する位置に、第１の吹付装置３１が設置されている。
第１の吹付装置３１は、送風機の一例として、各通過口２４に対応して配置されて気体を吹き付ける第１のブロア３２を有する。右側の第１のブロア３２は、第１のブロア３２の図示しない吸気部に接続され且つ後方に延びる接続部３３と、接続部３３の後端から左方に延びる加熱部３４とを有する。第１のブロア３２前端には、後側の通過口２４に対向して吹付口３２ａが形成されている。加熱部３４の左端には、吸気口３７が形成されており、加熱部３４の内部には、熱源の一例としてのヒータ３８が配置されている。
【００３９】
各第１のブロア３２と各後側の通過口２４との間には、開閉部材の一例としてのシャッタ３９が左右方向に移動可能に支持されている。
シャッタ３９は、左右方向に延びる板状の本体部４１と、平板型歯車の一例として、本体部４１から左方に延びるラックギヤ４２とを有する。
ラックギヤ４２の後方には、歯車の一例として、ラックギヤ４２と噛み合い且つ図示しない駆動源から駆動が伝達されるピニオンギヤ４３が回転可能に支持されている。
実施例１のシャッタ３９は、駆動源から駆動が伝達されると、ギヤ４２，４３を介して、後側の通過口２４と吹付口３２ａとの間を開放する、開閉部材の開放位置と、後側の通過口２４と吹付口３２ａとの間を塞ぐ、開閉部材の閉塞位置との間で移動可能に構成されている。シャッタ３９の右側には、検知部の一例として、シャッタ３９の位置を検知するシャッタセンサ４４が配置されている。
【００４０】
図３、図４において、給紙装置Ｕ２内部の各給紙トレイＴＲ１〜ＴＲ４が着脱される空間の右端には、右側の通過口２６に対応する位置に、第２の吹付装置５６が配置されている。第２の吹付装置５６は、第２の送風機の一例としての第２のブロア５７が前後方向に間隔を空けて２つ配置されている。
【００４１】
（実施例１の制御部の説明）
図５は実施例１の画像形成装置の制御部分が備えている各機能をブロック図で示した図である。
図５において、前記コントローラＣは、外部との信号の入出力および入出力信号レベルの調節等を行う入出力信号調節部の一例としての入出力インターフェース、いわゆる、Ｉ／Ｏ、必要な処理を実行するためのプログラムおよびデータ等が記憶されたリードオンリーメモリ、いわゆる、ＲＯＭ、必要なデータを一時的に記憶するためのランダムアクセスメモリ、いわゆる、ＲＡＭ、前記ＲＯＭに記憶されたプログラムに応じた処理を行う中央演算処理装置、いわゆる、ＣＰＵ、ならびにクロック発振器等を有する計算機の一例としてのコンピュータにより構成されており、前記ＲＯＭに記憶されたプログラムを実行することにより種々の機能を実現することができる。
【００４２】
（コントローラＣに接続された信号入力要素）
前記コントローラＣは、ユーザインタフェースＵＩ等の信号入力要素からの信号が入力されている。
ＵＩ：ユーザインタフェース
前記ユーザインタフェースＵＩは、表示部の一例としての表示パネルＵＩ１、入力部の一例としてのコピー開始ボタンや、コピー中止ボタン、方向矢印キー等の入力ボタンＵＩ２を備えており、それらが入力されたことを検出して、その検出信号をコントローラＣに入力する。
【００４３】
（コントローラＣに接続された被制御要素）
コントローラＣは、次の被制御要素Ｄ１〜Ｄ５，Ｅの制御信号を出力している。
Ｄ１：メインモータの駆動回路
主駆動源の駆動回路の一例としてのメインモータの駆動回路Ｄ１は主駆動源の一例としてのメインモータＭ１を駆動することにより、図示しない伝達部材の一例としてのギヤを介して像保持体Ｐｙ〜Ｐｋ、現像器Ｇｙ〜Ｇｋ、定着装置Ｆの加熱ロールＦｈ、排紙ロールＲｈ等を回転駆動する。
Ｄ２：第１の送風機の制御回路
第１の送風機の制御回路Ｄ２は、第１の送風機の駆動源Ｍ２の動作を制御して、第１のブロア３２を駆動する。
【００４４】
Ｄ３：開閉制御回路
開閉制御回路Ｄ３は、開閉用の駆動源Ｍ３の動作を制御して、ギヤ４２，４３を介し、前記開放位置と前記閉塞位置の間でシャッタ３９を移動させる。
Ｄ４：熱源の制御回路
熱源の制御回路Ｄ４は、ヒータ３８に供給される加熱用の電力を制御して、ヒータ３８を加熱させる。
Ｄ５：第２の送風機の制御回路
第２の送風機の制御回路Ｄ５は、第２の送風機の駆動源Ｍ４の動作を制御して、第２のブロア５７を駆動する。
【００４５】
Ｅ：電源回路
電源回路Ｅは、現像用の電源回路Ｅ１、帯電用の電源回路Ｅ２、定着用の電源回路Ｅ３、１次転写用の電源回路Ｅ４、熱源用の電源回路Ｅ５および２次転写用の電源回路Ｅ６を有している。
Ｅ１：現像用の電源回路
現像用の電源回路Ｅ１は、現像器Ｇｙ〜Ｇｋの現像ロールＲ０に現像電圧を印加する。
Ｅ２：帯電用の電源回路
帯電用の電源回路Ｅ２は、帯電器ＣＣｙ〜ＣＣｋに帯電電圧を印加する。
Ｅ３：定着用の電源回路
定着用の電源回路Ｅ３は、定着装置Ｆの加熱ロールＦｈの加熱部材の一例としてのヒータに加熱用の電力を印加する。
Ｅ４：１次転写用の電源回路
１次転写用の電源回路Ｅ４は、１次転写ロールＴ１ｙ〜Ｔ１ｋに転写電圧を印加する。
Ｅ５：熱源用の電源回路
熱源用の電源回路Ｅ５は、前記第１の吹付装置３１のヒータ３８に加熱用の電力を印加する。
Ｅ６：２次転写用の電源回路
２次転写用の電源回路Ｅ６は、コンタクトロールＴ２ｃに転写電圧を印加する。
【００４６】
（コントローラＣの機能）
前記コントローラＣは、各信号出力要素の出力信号に応じて各被制御要素の動作を制御するためのプログラムにより、次の機能実現手段を有している。
Ｃ１：ジョブ制御手段
画像形成動作の制御手段の一例としてのジョブ制御手段Ｃ１は、前記コピー開始ボタンの入力に応じて、潜像形成装置ＲＯＳｙ〜ＲＯＳｋ、帯電器ＣＣｙ〜ＣＣｋ、像保持体Ｐｙ〜Ｐｋ、１次転写ロールＴ１ｙ〜Ｔ１ｋ、コンタクトロールＴ２ｃ、定着装置Ｆおよび用紙搬送装置ＳＵ等の動作を制御して、画像形成動作、いわゆる、ジョブを制御する。
【００４７】
Ｃ２：メインモータの回転制御手段
主駆動源の回転制御手段の一例としてのメインモータの回転制御手段Ｃ２は、前記メインモータの駆動回路Ｄ１を介して、メインモータＭ１の回転を制御して、像保持体Ｐｙ〜Ｐｋ、現像器Ｇｙ〜Ｇｋの現像ロールＲ０、および、定着装置
Ｆの加熱ロールＦｈ等の駆動を制御する。
Ｃ３：電源回路の制御手段
電源回路の制御手段Ｃ３は、電源回路Ｅの作動を制御して、現像器Ｇｙ〜Ｇｋの現像ロールＲ０、帯電器ＣＣｙ〜ＣＣｋ、１次転写ロールＴ１ｙ〜Ｔ１ｋ、コンタクトロールＴ２ｃ、および、定着装置Ｆの加熱ロールＦｈのヒータ等への電圧、電流の供給を制御する。
【００４８】
Ｃ４：シート情報の記憶手段
媒体情報の記憶手段の一例としてのシート情報の記憶手段Ｃ４は、給紙トレイＴＲ１〜ＴＲ４に収容された記録シートＳに関する情報を記憶する。実施例１のシート情報の記憶手段Ｃ４は、前記入力ボタンＵＩ２等の入力に基づいて、予め設定された「Ａ３」や、「Ｂ４」等の規格化された各定型用紙のいずれかに記録シートＳが該当するのかを特定するサイズ情報と、媒体搬送方向、すなわち、「ＬＥＦ：Long Edge Feed」や「ＳＥＦ：Short Edge Feed」の搬送方向情報と、予め設定された普通紙や、コート紙、エンボス紙、ＯＨＰ用紙、フイルム紙等のいずれかに記録シートＳが該当するのかを特定する紙種情報と、予め設定された「５５〜６３（ｇｓｍ）」や「６４〜８０（ｇｓｍ）」等のシート単位面積あたりの重量である坪量を特定する坪量情報とを媒体情報の一例としてのシート情報として記憶する。なお、実施例１の構成では、記録シートＳのシート情報が利用者により前記入力ボタンＵＩ２を介して予め入力される。
【００４９】
Ｃ５：画像密度の検出手段
画像密度の検出手段Ｃ５は、画像情報の受信手段Ｃ５Ａ、画像情報の展開手段Ｃ５Ｂ、被吹付領域の記憶手段Ｃ５Ｃおよび画像密度の演算手段Ｃ５Ｄを有し、記録シートＳ表面の予め設定された領域に記録される画像の画像密度を検出する。
Ｃ５Ａ：画像情報の受信手段
画像情報の受信手段Ｃ５Ａは、クライアントパソコンＰＣから送信された送受信用の画像情報を受信し、記憶する。
Ｃ５Ｂ：画像情報の展開手段
画像情報の展開手段Ｃ５Ｂは、前記画像情報の受信手段Ｃ５Ａで受信された送受信用の画像情報に基づき、前記潜像形成装置ＲＯＳｙ〜ＲＯＳｋで書き込まれて記録シートＳに印刷される１ページ分の画像情報を印刷用の画像情報の一例としての印刷用の書込情報に変換、展開する。
【００５０】
図６は実施例１の媒体の領域の説明図である。
Ｃ５Ｃ：被吹付領域の記憶手段
被吹付領域の記憶手段Ｃ５Ｃは、吹付装置３１，５６から気体の一例としてのエアーが吹き付けられる記録シートＳ上の位置を領域の一例としての被吹付領域６２，６３として記憶する。実施例１の被吹付領域の記憶手段Ｃ５Ｃは、図６に示すように、用紙サイズと搬送方向との組み合わせ毎に、記録シートＳの１ページ分の面積が予め設定された領域６１で区切られており、区切られたシートＳの領域６１の中で右側の第１のブロア３２の吹付口３２ａに対応する領域６１が第１の被吹付領域６２として記憶されている。また、左側の第１のブロア３２の吹付口３２ａや、第２のブロア５７の吹付口に対応する領域６１が第２の被吹付領域６３として記憶されている。
【００５１】
実施例１の被吹付領域の記憶手段Ｃ５Ｃでは、規格化された用紙サイズおよび搬送方向の組み合わせ、例えば、図６に示すように、用紙の短辺を前端にして搬送されるＡ４サイズ、いわゆる、「Ａ４ＳＥＦ」や、用紙の長辺を前端にして搬送されるＡ５サイズ、いわゆる、「Ａ５ＬＥＦ」等の複数の記録シートＳ毎に、領域６１、第１の被吹付領域６２および第２の被吹領域６３が記憶されている。
なお、実施例１では、用紙サイズおよび搬送方向の組み合わせにおいて、搬送方向の下流端且つ吹付口３２ａ側の角を基準として、搬送方向の長さと幅方向の長さとが同一で同一面積の領域６１が隙間無く並べられている。そして、搬送方向の下流端から搬送方向上流側に２番目且つ吹付口３２ａ側から前側に１番目の領域６１が第１の被吹付領域６２として設定されており、搬送方向下流端から搬送方向上流側に５番目且つ吹付口３２ａ側から前側に１番目と、搬送方向下流端から搬送方向上流側に１番目且つ吹付口３２ａ側から前側に３番目および６番目との３つの領域６１が第２の被吹領域６３として認定されている。
【００５２】
Ｃ５Ｄ：画像密度の演算手段
画像密度の演算手段Ｃ５Ｄは、前記画像情報の展開手段Ｃ５Ｂに展開された印刷用の書込情報と、前記被吹付領域の記憶手段Ｃ５Ｃに記憶された被吹付領域６２，６３とに基づき、被吹付領域６２，６３に記録される画像の画像密度を演算する。実施例１では、第１の被吹付領域６２および第２の被吹付領域６３に含まれる画素の総数がＬａとして予め設定されている。そして、第１の被吹付領域６２および第２の被吹付領域６３の画素の総数Ｌａに対して、展開された印刷用の書込情報に基づいて、第１の被吹付領域６２および第２の被吹付領域６３に書き込まれる画素の数Ｌ１，Ｌ２が計数され、第１の被吹付領域６２および第２の被吹付領域６３に書き込まれる画像の画像密度ρ１，ρ２は、ρ１＝Ｌ１／Ｌａおよびρ２＝Ｌ２／Ｌａとして演算される。
【００５３】
図７は実施例１の吹付条件の記憶手段が記憶する吹付条件のテーブルであり、図７Ａは紙種テーブル、図７Ｂは用紙サイズテーブル、図７Ｃは画像密度テーブルである。
Ｃ６：吹付条件の記憶手段
吹付条件の記憶手段Ｃ６は、第１の記憶手段の一例としての紙種テーブルの記憶手段Ｃ６Ａと、第２の記憶手段の一例としての用紙サイズテーブルの記憶手段Ｃ６Ｂと、第３の記憶手段の一例としての画像密度テーブルの記憶手段Ｃ６Ｃとを有する。吹付条件の記憶手段Ｃ６は、記録シートＳにおける記録不良の発生し易さに対する吹付装置３１，５６から吹き付けるエアーの吹付条件を記憶する。実施例１の吹付条件の記憶手段Ｃ６は、図７Ａ〜図７Ｃの各テーブルＴＡ１〜ＴＡ３に記載された各給紙トレイＴＲ１〜ＴＲ４に収容された記録シートＳの種類や用紙サイズ、紙厚、記録シートＳに印刷される画像の画像密度の情報に対応して、吹付装置３１，５６から記録シートＳに吹き付けられるエアーの風量の条件を記憶する。
【００５４】
Ｃ６Ａ：紙種テーブルの記憶手段
紙種テーブルの記憶手段Ｃ６Ａは、記録シートＳの紙種と、記録シートＳに対応する吹付装置３１，５６から吹き付けられるエアーを設定するための第１の条件を特定する第１の条件の一覧表の一例としての紙種テーブルＴＡ１を記憶する。
実施例１の紙種テーブルの記憶手段Ｃ６Ａは、紙種テーブルＴＡ１において、各紙種の紙に含まれる水分の蒸発し易さに対応して、第１の条件としての紙種区分「ａ」〜「ｃ」を記憶する。
具体的には、図７Ａに示す実施例１の紙種テーブルＴＡ１では、記録シートＳの紙種が、紙に含まれる水分の蒸発が画質に特に影響し易い紙種としての「コート紙」および「エンボス紙」を紙種区分「ａ」として記憶している。また、紙に含まれる水分の蒸発が画質に影響し易い紙種としての「非コートの普通紙」を紙種区分「ｂ」と記憶し、紙に含まれる水分が蒸発し難い紙種としての「ＯＨＰ用紙」および「フイルム紙」を紙種区分「ｃ」と記憶する。
【００５５】
Ｃ６Ｂ：用紙サイズテーブルの記憶手段
用紙サイズテーブルの記憶手段Ｃ６Ｂは、記録シートＳのサイズおよび坪量に対応する吹付装置３１，５６から吹き付けられるエアーを設定するための第２の条件を特定する第２の条件の一覧表の一例としての用紙サイズテーブルＴＡ２を記憶する。
実施例１の用紙サイズテーブルＴＡ２には、紙種テーブルＴＡ１に記憶された紙種区分「ａ」に対して、記録シートＳの用紙サイズや記録シートＳの坪量に応じて、第２の条件としてのサイズ区分「ａ−１」〜「ａ−１６」が記憶され、紙種区分「ｂ」の記録シートＳの用紙サイズ等に応じて、サイズ区分「ｂ−１」〜「ｂ−１６」が記憶されている。
【００５６】
具体的には、図７Ｂに示す実施例１の用紙サイズテーブルＴＡ２では、紙種テーブルＴＡ１の紙種区分「ａ」の記録シートＳについて、搬送方向の長さが「２９７．２（ｍｍ）」以下且つ坪量が「５５〜６３（ｇｓｍ）」の場合、サイズ区分「ａ−１」に区分される。そして、紙種区分「ａ」且つ記録シートＳの搬送方向の長さが「２９７．２（ｍｍ）」以下の場合に、坪量が「６４〜８０（ｇｓｍ）」であればサイズ区分「ａ−２」に区分され、「８１〜１０５（ｇｓｍ）」であればサイズ区分「ａ−３」に区分され、「１０６〜１３５（ｇｓｍ）」であればサイズ区分「ａ−４」に区分され、「１３６〜１８６（ｇｓｍ）」であればサイズ区分「ａ−５」に区分され、「１８７〜２２０（ｇｓｍ）」であればサイズ区分「ａ−６」に区分され、「２２１〜３００（ｇｓｍ）」であればサイズ区分「ａ−７」に区分され、「３０１〜３５０（ｇｓｍ）」であればサイズ区分「ａ−８」に区分される。同様にして、紙種区分「ａ」且つ記録シートＳの搬送方向の長さが「２９７．３（ｍｍ）」以上の場合、「５５〜６３（ｇｓｍ）」〜「３０１〜３５０（ｇｓｍ）」の各坪量に対して、サイズ区分「ａ−９」〜「ａ−１６」が記憶されている。
また、紙種区分「ａ」の記録シートＳの場合と同様に、紙種区分「ｂ」の場合も、搬送方向の長さや、坪量に対して、サイズ区分「ｂ−１」〜「ｂ−１６」が記憶されている。
【００５７】
Ｃ６Ｃ：画像密度テーブルの記憶手段
画像密度テーブルの記憶手段Ｃ６Ｃは、記録シートＳ表面の予め設定された領域に記録される画像の画像密度に基づいて、吹付装置３１，５６から吹き付けられるエアーを設定するための第３の条件を特定する第３の条件の一覧表の一例としての画像密度テーブルＴＡ３を記憶する。実施例１の画像密度テーブルＴＡ３には、用紙サイズテーブルＴＡ２に記憶されたサイズ区分「ａ−１」〜「ａ−１６」、「ｂ−１」〜「ｂ−１６」に応じて、吹付装置３１，５６のエアーの制御が切り替えられる基準値となる値として、前記被吹付領域６２，６３に書き込まれる画像の画像密度の閾値「Ｎ１」〜「Ｎ６４」が記憶される。
【００５８】
具体的には、図７Ｃに示す実施例１の画像密度テーブルＴＡ３には、第１の被吹付領域６２の画像密度の閾値として、サイズ区分「ａ−１」であれば画像密度の閾値「Ｎ１」が記憶され、「ａ−２」であれば画像密度の閾値「Ｎ２」が記憶され、・・・、「ａ−１６」であれば画像密度の閾値「Ｎ１６」が記憶され、「ｂ−１」であれば画像密度の閾値「Ｎ１７」が記憶され、・・・、「ｂ−１６」であれば画像密度の閾値「Ｎ３２」が記憶されている。同様にして、第２の被吹付領域６３の画像密度の閾値として、「ａ−１」〜「ａ−１６」、「ｂ−１」〜「ｂ−１６」のサイズ区分に対して、画像密度の閾値「Ｎ３３」〜「Ｎ６４」が記憶されている。
【００５９】
なお、実施例１では、サイズ区分「ａ−１」〜「ｂ−１６」が同一の場合、第２の被吹付領域６３の画像密度の閾値「Ｎ３３」〜「Ｎ６４」に比べて、温風が吹き付けられて記録シートＳが乾燥し易く、転写不良が発生し易い第１の被吹付領域６２の画像密度の閾値「Ｎ１」〜「Ｎ３２」の方が、値が小さく設定されている。
記録シートＳの紙種が同一且つサイズが同一の場合に、坪量が大きくなるに連れて、記録シートＳの保水量が多く、乾燥に耐え易いため、画像密度の閾値が大きくなるように設定されている。すなわち、Ｎ１＜Ｎ２＜・・・＜Ｎ８と、Ｎ９＜Ｎ１０＜・・・＜Ｎ１６と、Ｎ１７＜Ｎ１８＜・・・＜Ｎ２４と、Ｎ２５＜Ｎ２６＜・・・＜Ｎ３２と、Ｎ３３＜Ｎ３４＜・・・＜Ｎ４０と、Ｎ４１＜Ｎ４２＜・・・＜Ｎ４８と、Ｎ４９＜Ｎ５０＜・・・＜Ｎ５６と、Ｎ５７＜Ｎ５８＜・・・＜Ｎ６４とに設定されている。
【００６０】
また、紙種が同一且つ坪量が同一の記録シートＳどうしの場合、搬送方向の長さが短い場合に比べて、搬送方向の長さが長い場合の方が、記録シートＳの自重が重くなり、捌きロールＲｓで捌き難いため、画像密度の閾値が大きく設定されている。すなわち、自然数をｉ，ｊとし、ｉ＝１，２，・・・，８，１７，１８，・・・，２４，３３，３４，・・・，４０，４９，５０，・・・，５６，ｊ＝ｉ＋８とした場合、Ｎｉ＜Ｎｊに設定されている。
また、同一領域６２，６３且つ同一サイズの場合、記録シートＳの紙種が紙種区分「ｂ」の場合に比べて、水分が蒸発し易い紙種区分「ａ」の場合の方が、閾値が小さく、すなわち、ｉ＝１，２，・・・，１６，３３，３４，・・・，４８，ｊ＝ｉ＋１６とした場合、Ｎｉ＜Ｎｊに設定されている。
【００６１】
Ｃ７：吹付条件の設定手段
吹付条件の設定手段Ｃ７は、判別手段の一例としての記録不良の判別手段Ｃ７Ａおよび吹付風量の設定手段Ｃ７Ｂとを有し、記録シートＳに記録される画像が記録不良を起こす恐れがあるか否かに基づいて、吹付装置３１，５６から吹き付けるエアーの条件を設定する。実施例１の吹付条件の設定手段Ｃ７では、画像密度の検出手段Ｃ５で検出された被吹付領域６２，６３の画像密度と、使用される記録シートＳに応じて各テーブルＴＡ１〜ＴＡ３から導出された画像密度の閾値「Ｎ１」〜「Ｎ６４」とに基づいて、吹付装置３１，５６が記録シートＳに対して吹き付けるエアーの風量の条件を設定する。
【００６２】
Ｃ７Ａ：記録不良の判別手段
記録不良の判別手段Ｃ７Ａは、使用される記録シートＳの被吹付領域６２，６３に記録された画像の画像密度が、予め設定された各記録シートＳに対応する画像密度の記録不良を起こし易い画像密度であるか否かを判別する。
実施例１の記録不良の判別手段Ｃ７Ａは、前記画像密度の検出手段Ｃ５で検出された被吹付領域６２，６３の画像密度が、使用される各記録シートＳに対応する各画像密度の閾値「Ｎ１」〜「Ｎ６４」以上であるか否かの判別を行うことで、記録シートＳに記録される画質が低下する記録不良を起こし易い画像密度か否かを判別する。
なお、実施例１の記録不良の判別手段Ｃ７Ａは、第１の被吹付領域６２や第２の被吹付領域６３のそれぞれの領域で、印刷される画像密度が記録不良を起こし易い画像密度か否かの判別を行う。
【００６３】
具体的には、実施例１の記録不良の判別手段Ｃ７Ａは、第１の被吹付領域６２の画像密度がジョブで使用される記録シートＳの画像密度の閾値「Ｎ１」〜「Ｎ３２」よりも大きいか否かを判別し、画像密度が画像密度の閾値「Ｎ１」〜「Ｎ３２」よりも大きい場合、第１の被吹付領域６２の画像密度は、記録不良を起こし易い画像密度と判別する。
また、各第２の被吹付領域６３で検出された画像密度が画像密度の閾値「Ｎ３３」〜「Ｎ６４」よりも大きいか否かを判別し、画像密度が画像密度の閾値「Ｎ３３」〜「Ｎ６４」よりも大きい場合、第２の被吹付領域６３の画像密度は、記録不良を起こし易い画像密度と判別する。
なお、実施例１では、記録シートＳの紙種が紙種区分「ａ」、「ｂ」の場合、前記吹付条件の設定手段Ｃ７に基づいて、記録不良を起こし易い画像密度であるか否かを判別され、記録シートＳの紙種が紙種区分「ｃ」の場合、画像密度に関わらず記録不良を起こし難いと判別する。
【００６４】
Ｃ７Ｂ：吹付風量の設定手段
吹付風量の設定手段Ｃ７Ｂは、前記記録不良の判別手段Ｃ７Ａの判別結果に基づき、吹付装置３１，５６が記録シートＳに対して吹き付けるエアーの風量を設定する。
実施例１の吹付風量の設定手段Ｃ７Ｂは、前記記録不良の判別手段Ｃ７Ａにより検出された画像密度が記録不良を起こし易いと判別された場合、各ブロア３２，５７から吹き付けるエアーの風量は「少」と設定し、記録不良を起こし難いと判別された場合、各ブロア３２，５７から吹き付けるエアーの風量は「標準」と設定する。
【００６５】
具体的には、第１の被吹付領域６２の画像密度が画像密度の閾値「Ｎ１」〜「Ｎ３２」よりも大きい場合、右側の第１のブロア３２から吹き付けるエアーの風量は「少」と設定し、画像密度が画像密度の閾値「Ｎ１」〜「Ｎ３２」以下の場合、右側の第１のブロア３２から吹き付けるエアーの風量は「標準」と設定する。
また、各第２の被吹付領域６３の画像密度が画像密度の閾値「Ｎ３３」〜「Ｎ６４」よりも大きい場合、左側の第１のブロア３２や、第２のブロア５７から吹き付けるエアーの風量を、それぞれ「少」と設定し、画像密度が画像密度の閾値「Ｎ３３」〜「Ｎ６４」以下の場合、左側の第１のブロア３２や、第２のブロア５７から吹き付けるエアーの風量を、それぞれ「標準」と設定する。
なお、実施例１の吹付風量の設定手段Ｃ７Ｂは、３箇所の第２の被吹付領域６３で検出された画像密度が画像密度の閾値「Ｎ３３」〜「Ｎ６４」以下か否かの判別をそれぞれの領域で行い、それぞれの被吹付領域６３に対向する左側の第１のブロア３２や、第２のブロア５７毎にエアーの風量を設定する。
【００６６】
（実施例１のフローチャートの説明）
次に、実施例１の画像形成装置Ｕの処理の流れを流れ図、いわゆる、フローチャートを使用して説明する。（実施例１の風量判別処理のフローチャートの説明）
図８は実施例１の風量判別処理のフローチャートである。
図８のフローチャートの各ステップＳＴの処理は、前記画像形成装置ＵのコントローラＣに記憶されたプログラムに従って行われる。また、この処理は、画像形成装置Ｕの他の各種処理と並行して並列処理で実行される。なお、以下で、実施例１の媒体判別処理のフローチャートの説明をするが、前記給紙トレイＴＲ１に対して、給紙トレイＴＲ２〜ＴＲ４が同様に構成されている。よって、給紙トレイＴＲ１のフローチャートについてのみ説明し、その他の給紙トレイＴＲ２〜ＴＲ４のフローチャートについては説明を省略する。
また、以下のフローチャートにおいて、第１の被吹付領域６２に対向する右側の第１のブロア３２に対応するフローチャートの説明を行うが、第２の被吹付領域６３に対向する左側の第１のブロア３２や第２のブロア５７のそれぞれにおける吹付処理についても、同様であり、並行して実行されるため、図示および詳細な説明を省略する。
【００６７】
図８に示すフローチャートは画像形成装置Ｕの電源投入により開始される。
図８のＳＴ１において、ユーザインタフェースＵＩのコピースタートキーが入力されて、ジョブが開始されたか否かを判別する。イエス（Ｙ）の場合はＳＴ２に進み、ノー（Ｎ）の場合はＳＴ１を繰り返す。
ＳＴ２において、クライアントパソコンＰＣから受信した画像情報に基づき、記録シートＳに印刷される１ページ分の印刷用の書込情報に変換、展開し、ＳＴ３に進む。
【００６８】
ＳＴ３において、展開された印刷用の書込情報から第１の被吹付領域６２の画像密度を演算し、ＳＴ４に進む。
ＳＴ４において、使用される記録シートＳのサイズ情報、搬送方向情報、紙種情報および坪量情報を取得し、ＳＴ５に進む。
ＳＴ５において、取得された紙種は紙種区分「ａ」または「ｂ」であるか否かの判別を行う。イエス（Ｙ）の場合はＳＴ６に進み、ノー（Ｎ）の場合はＳＴ９に進む。
ＳＴ６において、用紙サイズテーブルＴＡ２および画像密度テーブルＴＡ３に基づいて、取得されたサイズ情報および搬送方向情報に対応する画像密度の閾値を設定し、ＳＴ７に進む。
【００６９】
ＳＴ７において、演算された画像密度が画像密度の閾値よりも大きいか否かの判別を行う。イエス（Ｙ）の場合はＳＴ８に進み、ノー（Ｎ）の場合はＳＴ９に進む。
ＳＴ８において、右側の第１のブロア３２の吹付風量を「少」に設定し、ＳＴ１０に進む。
ＳＴ９において、右側の第１のブロア３２の吹付風量を「標準」に設定し、ＳＴ１０に進む。
ＳＴ１０において、受信された送受信用の画像情報に次ページが設定されているか否かの判別を行う。イエス（Ｙ）の場合はＳＴ２に戻り、ノー（Ｎ）の場合はＳＴ１に戻る。
【００７０】
（実施例１の作用）
前記構成を備えた実施例１の給紙装置Ｕ２では、各給紙トレイＴＲ１〜ＴＲ４に積載された記録シートＳのシート束の側面に対向する位置に、送風機の一例としてのブロアが配置されており、ジョブが実行される際に、実行されるジョブで使用される記録シートＳのシート束の側面に向けて、ブロアからエアーが吹き付けられる。記録シートＳのシート束の側面に対して、エアーが吹き付けられた場合、シート束中の記録シートＳどうしの間にエアーが入り、記録シートＳは１枚づつ分離され易くなる。したがって、シート束の最上面の記録シートＳが１枚づつピックアップロールＲｐによって取り出される際に、分離されずに複数の記録シートＳが重なった状態で媒体搬送方向下流側に搬送されてしまう重送の発生が低減されている。
【００７１】
ここで、特許文献１に記載の従来のシート給送装置（１００１）では、記録シートＳの給紙時に、高湿環境で記録シートＳの紙種がコート紙または超厚紙の場合、ヒータ（６）を「強」に設定した状態でエアー吹付け手段の送風ファン（４，５）を回転させて、温風を記録シートＳのシート束の側面に向けて吹き付けていた。しかし、送風ファン（４，５）から温風が吹き付けられた場合、温風が吹き付けられた記録シートＳの表面部分に含まれた水分が蒸発してしまい、記録シートＳの表面のうち、温風が吹き付けられた部分と、温風が吹き付けられていない部分との間で含まれる水分量にムラが生じていた。よって、記録シートＳの表面では、含まれる水分量が多い部分と、少ない部分とで電気抵抗が変化してしまい、表面の電気抵抗のムラが生じていた。したがって、温風が吹き付けられた記録シートＳが２次転写領域Ｑ４に搬送されて、記録シートＳの表面にトナー像が２次転写される場合、水分量のムラに応じた転写ムラ、いわゆる、転写不良が発生してしまう恐れがあった。特に、含水量の少ない部分に画像が転写されなかったり、画像密度が小さければ、転写不良に伴う画質の低下は目立ち難いが、印刷される画像密度が大きい場合には、転写ムラが目立ち易く、問題になり易い。
【００７２】
これに対して、実施例１の給紙装置Ｕ２では、ジョブが実行される際に、実行されるジョブで使用される各給紙トレイＴＲ１〜ＴＲ４に積載された記録シートＳのシート情報および各被吹付領域６２，６３の画像密度に基づいて、各吹付領域６２，６３に対応する各風量が自動的に１ページ毎に設定される。そして、各給紙トレイＴＲ１〜ＴＲ４に積載された記録シートＳのシート束の後側面や媒体搬送方向下流側面に向けて、右側の第１のブロア３２、左側の第１のブロア３２および第２のブロア５７から、記録シートＳの１枚毎に設定された風量のエアーが吹き付けられる。
【００７３】
具体的には、実施例１の給紙装置Ｕ２では、まず、「コート紙」や「普通紙」等のようにエアーの吹き付けで水分が蒸発し易く、水分量のムラが生じる可能性を有する図７Ａに示す紙種区分「ａ」および「ｂ」の紙種と、「ＯＨＰ用紙」や、「フイルム紙」のようにエアーの吹き付けで水分量が変化し難く、ムラが生じる可能性が低い図７Ａに示す紙種区分「ｃ」の紙種とが判別される。
そして、「ＯＨＰ用紙」等の紙種区分「ｃ」の紙種と判別された場合、重送を抑制するために、記録シートＳのシート束の側面に吹き付けられるエアーの風量が「標準」に設定され、各ブロア３２，５７の出力が制御される。
【００７４】
また、実施例１では、「コート紙」や「普通紙」等の紙種と判別された場合、「コート紙」や「エンボス紙」の紙種区分「ａ」と、「普通紙」の紙種区分「ｂ」とが判別される。また、用紙サイズや坪量に対応して、サイズ区分「ａ−１」〜「ａ−１６」、「ｂ−１」〜「ｂ−１６」が判別された後、各サイズ区分「ａ−１」〜「ａ−１６」、「ｂ−１」〜「ｂ−１６」に対応して、画像密度の閾値「Ｎ１」〜「Ｎ６４」が判別される。
そして、判別された画像密度の閾値と、算出された各吹付領域６２，６３の画像密度とを比較して、算出された画像密度が小さい場合、各吹付領域６２，６３における転写不良が発生し難いと判別して、記録シートＳのシート束に対して「標準」の風量のエアーが吹き付けられる。一方、算出された画像密度が大きい場合、各吹付領域６２，６３における転写不良が発生し易いと判別して、「標準」の風量よりも少ない「少」の風量のエアーが吹き付けられる。
【００７５】
ここで、「コート紙」では、表面に塗工層が形成されており、通気性が悪く、部分的に水分が蒸発すると、塗工層と紙の基層との間の膨張、収縮率の差等で凸凹ができ、転写ムラが発生する恐れがある。また、元々凸凹のある「エンボス紙」でも、部分的な膨張、収縮に伴って、凸凹が大きくなり過ぎる恐れがある。すなわち、紙種区分「ａ」の記録シートＳは、「普通紙」の紙種区分「ｂ」の記録シートＳよりもエアー吹き付けの悪影響を受け易い。また、一般的に、「コート紙」等は、「普通紙」が使用される場合に比べて、写真や表紙等の高画質の印刷が要求されることが多く、転写ムラの発生の低減が特に望ましい。
これに対応して、実施例１では、同一領域６２，６３および同一サイズの場合、紙種区分「ｂ」の閾値に比べて、紙種区分「ａ」の記録シートＳの方が、閾値が小さく設定されている。すなわち、風量が「標準」から「少」に切り替えられる密度がより厳しく設定されており、紙種区分「ａ」の記録シートＳで発生する転写ムラが低減されている。
【００７６】
また、記録シートＳの用紙サイズや坪量が大きくなるに連れて、記録シートＳの重量が増加する。記録シートＳの重量が増加した場合、記録シートＳのシート束の側面にエアーが吹き付けられても、シート束中の記録シートＳどうしの間にエアーが入り難く、記録シートＳのシート束が１枚ずつ分離され難くなるため、重送が発生する恐れがあった。
これに対応して、実施例１では、用紙サイズが小さい場合に比べて、用紙サイズが大きい場合の画像密度の閾値が大きくなるように設定されると共に、坪量が小さい場合に比べて、坪量が大きい場合の画像濃度の閾値が大きくなるように設定されている。
すなわち、用紙サイズや坪量が大きくなるに連れ、記録シートＳの重量が重くなるのに対応して、エアーの風量が切り替えられて、転写ムラが低減されつつ、記録シートＳの重送が抑制されている。
【００７７】
よって、実施例１の構成では、転写不良の発生し易さに応じて、紙種、用紙サイズおよび坪量に対応する画像密度の閾値が設定されており、各吹付領域６２，６３の画像密度、各吹付領域６２，６３に吹き付けられるエアーの風量が各吹付領域６２，６３の画像密度に応じて切り替えられる。
したがって、転写不良の発生し易さに応じて、エアーの風量が切り替えられない従来の構成に比べて、実施例１の構成では、転写不良の発生が低減されており、印刷される画像密度が大きい場合でも、転写ムラが目立ち難く、画質低下が抑制されている。
【実施例２】
【００７８】
次に、本発明の実施例２の説明をするが、この実施例２の説明において、前記実施例１の構成要素に対応する構成要素には同一の符号を付して、その詳細な説明を省略する。
この実施例２は、下記の点で前記実施例１と相違しているが、他の点では前記実施例１と同様に構成されている。
実施例２の第２の収容容器の一例としての第２の給紙トレイＴＲ１に対向して配置された各吹付装置３１，５６のブロア３２，５７から吹き付けられるエアーの風量は「少」に設定されると共に、第１の収容容器の一例としての第１の給紙トレイＴＲ２〜ＴＲ４に対向して配置された各吹付装置３１，５６のブロア３２，５７から吹き付けられるエアーの風量は「標準」に設定される。
なお、実施例２の第１の給紙トレイＴＲ２〜ＴＲ４のうち少なくとも１つの給紙トレイと、第２の給紙トレイＴＲ１とには、同紙種、同用紙サイズおよび同坪量の記録シートＳが収容されている。
【００７９】
（実施例２の制御部の説明）
図９は本発明の実施例２の画像形成装置の制御部が備えている各機能をブロック図で示した図であり、実施例１の図５に対応する説明図である。
（コントローラＣの機能）
また、実施例２のコントローラＣは、実施例１の吹付条件の設定手段Ｃ７、記録不良の判別手段Ｃ７Ａおよび吹付風量の設定手段Ｃ７Ｂに替えて、収容容器の設定手段の一例としての給紙トレイの設定手段Ｃ８、収容容器の特定手段の一例としてのトレイの特定手段Ｃ８Ａ、判別手段の一例としての記録不良の判別手段Ｃ８Ｂおよび切替手段の一例としての給紙トレイの選択手段Ｃ８Ｃを有している。
なお、前記コントローラＣのその他の構成要素については、実施例１と同様であるため、詳細な説明を省略する。
【００８０】
（コントローラＣの機能）
Ｃ８：給紙トレイの設定手段
給紙トレイの設定手段Ｃ８は、トレイの特定手段Ｃ８Ａと、記録不良の判別手段Ｃ８Ｂと、給紙トレイの選択手段Ｃ８Ｃとを有し、ジョブで使用する記録シートＳを給紙する給紙トレイを設定する。
実施例２の給紙トレイの設定手段Ｃ８は、記録シートＳに対して各吹付装置３１，５６から吹き付けるエアーの風量の条件を設定する実施例１の吹付条件の設定手段Ｃ７とは異なり、ジョブ時に、給紙トレイＴＲ１〜ＴＲ４に収容された記録シートＳを使用する場合に、転写不良の発生のし易さに応じて、給紙を行う給紙トレイの設定を行う。
【００８１】
Ｃ８Ａ：トレイの特定手段
トレイの特定手段Ｃ８Ａは、ジョブで記録される画像のサイズに対応する用紙サイズの記録シートＳが収容されている給紙トレイを特定する。実施例２のトレイの特定手段Ｃ８Ａは、画像情報の展開手段Ｃ５Ｂで展開された印刷用の書込情報と、シート情報の記憶手段Ｃ４で記憶されたシート情報とに基づいて、給紙トレイＴＲ１〜ＴＲ４の中で、ジョブで記録される画像のサイズに対応する用紙サイズの記録シートＳが収容されている給紙トレイを特定する。
【００８２】
Ｃ８Ｂ：記録不良の判別手段
実施例２の記録不良の判別手段Ｃ８Ｂは、前記トレイの特定手段Ｃ８Ａで記録される画像に対応する用紙サイズの記録シートＳを収容した給紙トレイが２つ以上有ると判別された場合に、記録される画像が転写不良を起こし易いか否かを判別する。第１の被吹付領域６２や第２の被吹付領域６３のそれぞれの領域で記録不良を起こし易いか否かの判別を行う実施例１の記録不良の判別手段Ｃ７とは異なり、第１の被吹付領域６２のみで判別を行う。具体的には、実施例２の記録不良の判別手段Ｃ８Ｂは、第１の被吹付領域６２の画像密度がジョブで使用される記録シートＳの画像密度の閾値「Ｎ１」〜「Ｎ３２」よりも大きいか否かを判別し、画像密度が画像密度の閾値「Ｎ１」〜「Ｎ３２」よりも大きい場合、第１の被吹付領域６２の画像密度は、記録不良を起こし易い画像密度と判別する。
【００８３】
Ｃ８Ｃ：給紙トレイの選択手段
給紙トレイの選択手段Ｃ８Ｃは、ジョブで使用される記録シートＳを給紙する給紙トレイを選択する。
実施例２の給紙トレイの選択手段Ｃ８Ｃは、記録不良の判別手段Ｃ８Ｂの判別結果に基づいて、記録不良を起こし難い画像密度と判別された場合、風量が「標準」に設定された給紙トレイを、実際に給紙を行うトレイとして選択する。
なお、３つ以上給紙可能な給紙トレイが有る場合には、風量が「標準」に設定された給紙トレイの中で番号が若い給紙トレイを選択する。
また、前記給紙トレイの選択手段Ｃ８Ｃは、記録不良の判別手段Ｃ８Ｂの判別結果に基づいて、記録不良を起こし易い画像密度と判別された場合、風量が「少」に設定された給紙トレイを、実際に給紙を行うトレイとして選択する。
また、実施例２の給紙トレイの設定手段Ｃ８は、トレイの特定手段Ｃ８Ａの判別結果に基づいて、特定された給紙トレイが１つだけ有る場合、その特定された給紙トレイを選択し、特定された給紙トレイが１つもない場合、ジョブが中断されると共に、ユーザインタフェースＵＩの表示パネルＵＩ１にエラー表示を表示する。
【００８４】
（実施例２のフローチャートの説明）
次に、実施例２の画像形成装置Ｕの処理の流れをフローチャートを使用して説明する。
（実施例２の収容容器判別処理のフローチャートの説明）
図１０は実施例２の画像形成装置における収容容器判別処理のフローチャートであり、実施例１の図８に対応する説明図である。
ここで、実施例２の収容容器判別処理のフローチャートは、実施例１のＳＴ４に替えて、ＳＴ３とＳＴ５との間でＳＴ２０およびＳＴ２１を実行すると共に、ＳＴ７〜ＳＴ１０に替えて、以下のＳＴ２２〜ＳＴ２８を実行する。また、その他の処理ＳＴ１〜ＳＴ３、ＳＴ５およびＳＴ６については、実施例１と同様であるため、詳細な説明を省略する。
なお、実施例２の収容容器判別処理では、第１の被吹付領域６２や第２の被吹付領域６３のそれぞれの領域で記録不良を起こし易いか否かの判別を行う実施例１の風量判別処理とは異なり、第１の被吹付領域６２のみで記録不良を起こし易いか否かの判別を行う。
【００８５】
図１０において、ＳＴ１〜ＳＴ３を実行し、ＳＴ２０に進む。
ＳＴ２０において、各給紙トレイＴＲ１〜ＴＲ４に収容された記録シートＳの「サイズ情報」「搬送方向情報」「紙種情報」を取得する。そして、ＳＴ２１に進む。
ＳＴ２１において、記録シートＳに印刷される１ページ分の印刷用の書込情報に対応する用紙サイズの記録シートＳを収容した給紙トレイが２つ以上有るか否かの判別を行う。イエス（Ｙ）の場合はＳＴ５に進み、ノー（Ｎ）の場合はＳＴ２５に進む。
【００８６】
ＳＴ５，ＳＴ６を実行し、ＳＴ２２に進む。
ＳＴ２２において、演算された画像密度の方が設定された画像密度の閾値よりも大きいか否かの判別を行う。イエス（Ｙ）の場合はＳＴ２３に進み、ノー（Ｎ）の場合はＳＴ２４に進む。
ＳＴ２３において、風量が「少」に設定された給紙トレイから記録シートＳを給紙する。そして、ＳＴ２７に進む。
ＳＴ２４において、風量が「標準」に設定された給紙トレイの中で一番若い番号の給紙トレイから記録シートＳを給紙する。そして、ＳＴ２７に進む。
【００８７】
ＳＴ２５において、書込情報に対応する用紙サイズの記録シートＳが収容された給紙トレイが有るか否かの判別を行う。イエス（Ｙ）の場合はＳＴ２６に進み、ノー（Ｎ）の場合はＳＴ２８に進む。
ＳＴ２６において、書込情報に対応する用紙サイズの記録シートＳを収容した給紙トレイから記録シートＳを給紙する。なお、この時、吹き付けられる風量は「標準」に設定される。そして、ＳＴ２７に進む。
ＳＴ２７において、受信された送受信用の画像情報に次ページが設定されているか否かの判別を行う。イエス（Ｙ）の場合はＳＴ２に戻り、ノー（Ｎ）の場合はＳＴ１に戻る。
ＳＴ２８において、表示パネルＵＩ１にエラー表示を表示する。そして、ＳＴ２０に戻る。
【００８８】
（実施例２の作用）
前記構成を備えた本発明の実施例２の給紙装置Ｕ２では、第１の吹付領域６２における転写不良が発生し易いと判別された場合、記録シートＳのシート束に対して「少」の風量のエアーが吹き付けられる第２の給紙トレイＴＲ１からシートＳが給紙される。また、第１の吹付領域６２における転写不良が発生し難いと判別された場合、「標準」の風量のエアーが吹き付けられる第１の給紙トレイＴＲ２〜ＴＲ４から記録シートＳが給紙される。したがって、実施例２の給紙装置Ｕ２では、書込情報に対応して、「標準」の風量のみまたは「少」の風量のみのエアーが吹き付けられた記録シートＳが給紙される。なお、各給紙トレイＴＲ１〜ＴＲ４には、通常、複数枚の記録シートＳのシート束が積載されている。
【００８９】
ここで、従来の給紙装置では、各給紙トレイＴＲ１〜ＴＲ４に対して吹き付けられるエアーが、給紙される記録シートＳだけではなく、シート束中の給紙されない記録シートＳにも一部吹き付けられていた。
したがって、給紙される記録シートＳだけではなく、シート束中の記録シートＳに含有された水分も蒸発し、給紙されるまでの間にエアーの吹き付けが累積されて、蒸発が累積されると、転写不良が発生し易くなっていた。
【００９０】
これに対して、本願の実施例２の構成では、第２の給紙トレイＴＲ１では「少」の風量のエアーが常時吹き付けられており、第１の給紙トレイＴＲ２〜ＴＲ４では、「標準」の風量のエアーが常時吹き付けられている。したがって、第２の給紙トレイＴＲ１に収容された記録シートＳは、蒸発する水分の累積の小さい状態が保持されて、第１の被吹付領域６２の画像密度が大きい場合に、第２の給紙トレイＴＲ１から給紙されており、水分の蒸発の累積を考慮しない場合に比べて、転写不良に影響を及ぼすことが低減される。また、第１の被吹付領域６２の画像密度が小さく転写不良が発生し難い場合は、「標準」の風量のエアーが吹き付けられる第１の給紙トレイＴＲ２〜ＴＲ４から記録シートＳが給紙される。
【００９１】
また、従来の給紙トレイでは、ヒータを使用して温風が吹き付けられており、特定の給紙トレイから連続して給紙が行われると、給紙トレイ内の温度が上昇し易く、記録シートＳの水分蒸発が促進されて、転写不良が発生し易くなる問題があった。このため、従来の構成では、高画質の印刷を行う際に、エアーの吹き付けを停止したり、給紙間隔を空けて生産性を落としたり、ジョブを中断して強制排熱を行ったりして対応したり、水分が蒸発した記録シートＳを新たな記録シートＳに交換したりしていたが、生産性が低下してしまう問題があった。
【００９２】
これに対して、実施例２の給紙装置Ｕ２では、第１の被吹付領域６２の画像密度に応じて、第２の給紙トレイＴＲ１と、第１の給紙トレイＴＲ２〜ＴＲ４との間で給紙される給紙トレイが切り替えられ、エアーの吹き付けや、停止も切り替えられる。
よって、特定の給紙トレイのみから記録シートＳを給紙する場合に比べて、給紙される給紙トレイが分散され易く、給紙トレイＴＲ１〜ＴＲ４内部の空気の温度が上昇することが低減され易い。したがって、実施例２の給紙装置Ｕ２では、転写不良の発生が低減されると共に、生産性の低下も低減され易くなっている。
【００９３】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ09）を下記に例示する。
（Ｈ01）前記実施例において、画像形成装置の一例として画像形成装置Ｕを例示したが、これに限定されず、複写機、ＦＡＸ、あるいはこれら複数の機能を備えた複合機等に適用可能である。また、電子写真方式の画像形成装置に限定されず、インクジェット記録方式やサーマルヘッド方式などをはじめリソグラフ等の印刷機等任意の画像形成方式の画像形成装置に適用可能である。さらに、多色現像の画像形成装置に限定されず、単色、いわゆるモノクロの画像形成装置により構成することも可能であり、いわゆるタンデム式の画像形成装置に限定されず、ロータリ式等の画像形成装置にも適用可能である。
【００９４】
（Ｈ02）前記実施例において、収容容器の一例として、４つの給紙トレイＴＲ１〜ＴＲ４を有する給紙装置Ｕ２の構成を例示したが、これに限定されず、例えば、２つまたは３つの収容容器、もしくは、５つ以上の収容容器を有する給紙装置Ｕ２の構成も可能である。なお、実施例１の構成では、１つの収容容器を有する給紙装置Ｕ２の構成も可能である。
（Ｈ03）前記実施例において、給紙装置Ｕ２と、画像形成装置本体Ｕ３とが別体の構成を例示したが、これに限定されず、例えば、画像形成装置本体に給紙装置が内蔵された構成にも適用可能である。
【００９５】
（Ｈ04）前記実施例において、第１の被吹付領域６２のみ、または、第１の被吹付領域６２や第２の被吹付領域６３のそれぞれの領域で記録される画像が転写不良を起こし易いか否かの判別を行う構成を例示したが、これに限定されず、例えば、機種の特性等によって、第２の被吹付領域６３のみで記録される画像が転写不良を起こし易い場合には、第２の被吹付領域６３のみで判別を行う構成も可能である。また、ブロア３２，５７の位置や個数、仕様等に応じて、被吹付領域６２，６３の位置、個数、広さは任意に変更可能である。
（Ｈ05）前記実施例において、右側の第１のブロア３２にヒータ３８を設けた構成を例示したが、これに限定されず、例えば、左側の第１のブロア３２や、第２のブロア５７にもヒータ３８を設けた構成も可能であり、また、右側の第１のブロア３２からヒータ３８を省いた構成も可能である。
【００９６】
（Ｈ06）前記実施例において、図７に示す各条件設定テーブルで記録シートＳのシート情報や、印刷用の書込情報に対するエアーの吹付条件を例示したが、これに限定されず、各条件設定テーブルで記憶された記録シートＳのシート情報、画像密度の閾値等は、画像形成装置の設計や仕様等に応じて任意に変更可能である。
例えば、図７Ａに示す紙種テーブルＴＡ１に予め記憶された紙種を画像形成装置の設計等に応じて増減可能であり、紙種区分の数も、２区分や、４区分以上にする構成も可能である。また、図７Ｂに示す用紙サイズテーブルＴＡ２に予め記憶された「５５〜６３（ｇｓｍ）」〜「３０１〜３５０（ｇｓｍ）」の坪量の具体的数値を画像形成装置の設計等に応じて変更可能であり、坪量の区分の数も７区分以下や、９区分以上にする構成も可能である。
【００９７】
（Ｈ07）前記実施例において、エアーの風量を「標準」と「少」との２段階の風量で切り替える構成を例示したが、これに限定されず、例えば、３段階以上の風量で切り替える構成も可能である。
（Ｈ08）前記実施例において、記録シートＳのサイズ情報、紙種および坪量をシート情報として記憶する構成を例示したが、パラメータは、これらに限定されず、画像形成装置の設計等に応じて、パラメータを減らしたり、例えば、記録シートＳの紙厚等のパラメータを追加したりすることも可能である。
【００９８】
（Ｈ09）前記実施例２において、「標準」の風量のエアーが吹き付けられる３つの第１の給紙トレイＴＲ２〜ＴＲ４のうち少なくとも１つの給紙トレイと、「少」の風量のエアーが吹き付けられる１つの第２の給紙トレイＴＲ１とに、同紙種、同用紙サイズおよび同坪量の記録シートＳを収容させる構成を例示したが、これに限定されない。例えば、風量が「少」の給紙トレイを２つ以上にしたり、風量が「標準」の給紙トレイを２つ以下にする構成も可能であり、「標準」の風量の給紙トレイと、「少」の風量の給紙トレイを両方とも２つ以上設定して、異なる風量設定の給紙トレイに同一種類の記録シートＳとを収容させる組み合わせを２組以上設けることも可能である。一例として、４つの給紙トレイに対して、「Ａ４ＳＥＦ」の普通紙の記録シートＳが収容された「標準」の風量の給紙トレイ、「Ａ４ＳＥＦ」の普通紙の記録シートＳが収容された「少」の風量の給紙トレイ、「Ａ３ＳＥＦ」の普通紙の記録シートＳが収容された「標準」の風量の給紙トレイおよび「Ａ３ＳＥＦ」の普通紙の記録シートＳが収容された「少」の風量の給紙トレイを組み合わせた構成も可能である。
【符号の説明】
【００９９】
３１，５１…吹き付け装置、Ｃ７Ａ，Ｃ８Ｂ…判別手段、ＣＣｙ〜ＣＣｋ…帯電装置、Ｇｙ〜Ｇｋ…現像器、Ｐｙ〜Ｐｋ…像保持体、Ｒａ…搬送部材、ＲＯＳｙ〜ＲＯＳｋ…潜像形成装置、Ｓ…媒体、Ｔ１＋Ｂ＋Ｔ２＋ＣＬＢ…転写装置、ＴＲ１…第２の収容容器、ＴＲ２〜ＴＲ４…第１の収容容器、ＴＲ１〜ＴＲ４…収容容器、Ｕ…画像形成装置、Ｕ２…媒体搬送装置。
【図１】
2013166600.tif 000003
【図２】
2013166600.tif 000004
【図３】
2013166600.tif 000005
【図４】
2013166600.tif 000006
【図５】
2013166600.tif 000007
【図６】
2013166600.tif 000008
【図７】
2013166600.tif 000009
【図８】
2013166600.tif 000010
【図９】
2013166600.tif 000011
【図１０】
2013166600.tif 000012